(57)【要約】【課題】試験室の遮蔽性能が優れた環境試験装置を提供することを課題とする。【解決手段】  試験室本体２１は、奥壁３０と左右の側壁３１，３２と天面壁３３と底面壁３５を有していて５面が壁に覆われ、少なくとも一方の側壁の端面が開口枠５０の一部となって正面側が開口している。扉部材２０は、試験室本体２１の一辺とヒンジ４６で結合されていてヒンジ側を基端として揺動する。扉部材２０が試験室本体２１の開口を閉塞した状態のとき、試験室５内であって扉部材２０の自由端側が接する側の開口端の近傍に、側壁の内側に対して交差する方向にあり、前記開口に沿って上下方向にのびる障害部材６０がある。【選択図】図４
2018151296.tif 000002
【特許請求の範囲】
【請求項１】
被試験物を配置する試験室と、空調手段と、送風手段を有し、前記試験室は試験室本体と扉部材によって囲まれた空間の一部または全部の空間であり、
試験室本体は、左右の側壁と天面壁と底面壁を有し、少なくとも一方の側壁の端面が開口枠の一部となって正面側が開口し、
扉部材は、試験室本体の縦の一辺とヒンジで結合されていてヒンジ側を基端とし他端側を自由端として揺動し、少なくとも扉部材の自由端側が側壁の端面によって形成される開口枠と接して試験室本体の開口を閉鎖する環境試験装置において、
扉部材が試験室本体の開口を閉塞した状態のとき、試験室内であって扉部材の自由端側が接する側の開口端の近傍に、側壁の内壁に対して交差する方向に立ち上がり、上下方向にのびる障害部材があることを特徴とする環境試験装置。
【請求項２】
障害部材は、試験室本体の内壁に固定されていることを特徴とする請求項１に記載の環境試験装置。
【請求項３】
試験室本体の試験室構成部分内に、棚を設置する棚受け部材があり、棚受け部材に障害部材が設けられていることを特徴とする請求項１又は２に記載の環境試験装置。
。
【請求項４】
障害部材は、扉部材に設けられていることを特徴とする請求項１に記載の環境試験装置。
【請求項５】
送風手段の送風を側壁側に方向付けする風向部材を有することを特徴とする請求項１乃至４のいずれかに記載の環境試験装置。
【発明の詳細な説明】
【技術分野】
【０００１】
本発明は、試験室を有し、当該試験室内を目標とする温度や湿度に調整する環境試験装置に関するものである。
【背景技術】
【０００２】
製品や素材等の性能や耐久性等を試験する装置として、環境試験装置がある。環境試験装置は、被試験物が載置される試験室を有し、この試験室内の温度や湿度を所望の試験環境に調整する機能を備えた装置である。試験室内は、被試験物の性能や耐久性等の評価を行うべく、低温環境に制御されたり、逆に高温環境に制御される場合がある。
【０００３】
環境試験装置は、試験室内に外気と異なる環境を作り出す場合があるから、試験室は断熱壁で覆われている場合が多い。
また試験室は外部と遮断されていて空気の出入りが少ないことが好ましい。その一方で、試験室内に被試験物を出し入れする必要がある。そのため試験室には扉等が設けられている。
前記した様に、試験室は、外部と遮断されていて空気の出入りが少ないことが好ましいので、試験室の本体と扉の間には、シール部材が介在されている。シール部材は、高温や低温にさらされる場合があるので、劣化し易い場合がある。特許文献１には、シール部材の劣化を防止するため、試験室内の気体がシール部材側に流れ込むことを防止するための遮蔽部材が設けられた環境試験装置が開示されている。
【０００４】
特許文献１に開示された環境試験装置は、試験室本体と扉部材を有している。試験室本体は、側壁と当該側壁に繋がる正面壁を有し、正面壁に開口が設けられている。
扉部材は外観が略板状であるが、試験室側の面に直方体形状の凸状部がある。具体的には、扉部材は、四角形の基部を備え、その基部の背面側（試験室側）に、凸状部が設けられた構成となっている。
特許文献１に開示された環境試験装置では、扉本体の凸状部が試験室本体の正面壁に設けられた開口に嵌まり込む。また扉本体の基部が、試験室本体の正面壁の外面にシール部材を介して接触する。即ち扉本体の試験室側の面であって、凸状部の周囲領域がシール部材を介して試験室本体の正面壁と接触する。
【０００５】
特許文献１に開示された環境試験装置は、扉本体の凸状部の側面と、試験室本体の正面壁に設けられた開口の内壁との間に形成される隙間に、試験室内の気体が流れ込むことを防ぐことによって、試験室の本体と扉の隙間にあるシール部材側に高温の気体が流れ込むことを防止するものである。そのため特許文献１に開示された環境試験装置では、試験室本体の正面壁に設けられた開口の試験室内側の縁や、扉本体の凸状部の側面と正面壁に設けられた開口の内壁との間に形成される隙間内に遮蔽部材が設けられている。
【先行技術文献】
【特許文献】
【０００６】
【特許文献１】特開２０１４−２２４７４２号公報
【発明の概要】
【発明が解決しようとする課題】
【０００７】
本出願人は、試験室本体の正面壁を無くし、側壁の端面が直接試験室本体の開口となる構造の環境試験装置を試作した。この構成によると、試験室の天面壁、左右側面壁及び底面壁の端面によって扉部材が当接する開口枠が構成される。
また試作した環境試験装置では、扉部材は、ヒンジによって試験室本体に取り付けられている。
試作した環境試験装置では、側壁の端面が扉部材との接触面となり、側壁の端面にシール部材がある。また扉部材側にもシール部材があり、扉部材側のシール部材は、側壁の端面と接する。
また試作した環境試験装置では、試験室内の環境が目標環境により早く到達する様に、従来よりも送風量が多い送風機を搭載した。
【０００８】
この構造の環境試験装置を試運転したところ、ヒンジ取り付け側のシール性能は良好であり、当該辺からの空気漏れは殆ど確認することができなかった。
しかしながら、ヒンジ取り付け側に対して反対側の辺（以下、扉の自由端側辺）については、シール性が完璧とは言えなかった。
そのため試験室内を低温環境とすると、扉の自由端側辺から試験室内の冷気が漏れ、周囲に結露が生じる場合があるという問題があった。
この原因は、ヒンジ取り付け側は、ヒンジによって扉部材が試験室本体が引きつけられているのに対し、扉の自由端側辺は、扉のロック機構によって扉部材が試験室本体に引き寄せられているに過ぎないので、シール部材を押しつける力が弱いためであると予想される。
【０００９】
試作した環境試験装置に、特許文献１の技術思想を応用すると仮定した場合、試験室本体の側壁と、扉部材の試験室側平面の間に形成される隙間の入り口部分に遮蔽部材を設けることとなる。しかしこの場合、遮蔽部材は、試験室の奥側から外部側に向かって突出することとなり、扉部材を閉じる際に扉部材が遮蔽部材に突き当たってしまう懸念がある。即ち扉部材の自由端側は、シール部材を介して試験室本体の側壁の端面と接しているので、扉部材の自由端側と、試験室本体との間の距離は一定とは言えない。そのため遮蔽部材の試験室本体の外側への突出長さが長いと、扉部材を閉じる際に、扉部材が遮蔽部材に突き当たってしまう場合がある。
逆に遮蔽部材の試験室本体の外側への突出長さが短いと、試験室本体の側壁と、扉部材の試験室側平面の間に形成される隙間を封鎖することができなくなってしまう場合がある。
【００１０】
そこで本発明は、従来技術の上記した問題点に注目し、試験室の密閉性能が優れた環境試験装置を提供することを課題とする。
【課題を解決するための手段】
【００１１】
本発明者は、試作した環境試験装置の試験室内の風の流れを調査した。その結果、送風機から吐出された送風の一部が、試験室本体の側壁の内壁に沿って流れ、試験室本体の開口部に到達して扉部材と衝突し、向きを変えて扉部材の表面に沿って流れ、側壁の端面と扉部材の間の隙間に流れることが判った。
【００１２】
この知見に基づいて開発された態様は、被試験物を配置する試験室と、空調手段と、送風手段を有し、前記試験室は試験室本体と扉部材によって囲まれた空間の一部または全部の空間であり、試験室本体は、左右の側壁と天面壁と底面壁を有し、少なくとも一方の側壁の端面が開口枠の一部となって正面側が開口し、扉部材は、試験室本体の縦の一辺とヒンジで結合されていてヒンジ側を基端とし他端側を自由端として揺動し、少なくとも扉部材の自由端側が側壁の端面によって形成される開口枠と接して試験室本体の開口を閉鎖する環境試験装置において、扉部材が試験室本体の開口を閉塞した状態のとき、試験室内であって扉部材の自由端側が接する側の開口端の近傍に、側壁の内壁に対して交差する方向に立ち上がり、上下方向にのびる障害部材があることを特徴とする環境試験装置である。
【００１３】
障害部材は、前記試験室本体の開口に沿って上下方向にのびるものであることが望ましいが、多少の傾斜があってもよい。
【００１４】
本態様の環境試験装置では、試験室本体の開口枠の近傍においては、障害部材に送風が衝突することによって、送風が扉本体に直接的に衝突することが防止される。また送風は、障害部材によって側壁から離れる方向に誘導される。そのため側壁の端面と扉部材の間の隙間に向かう風量が制限され、試験室から空気が漏れることが抑制される。
また側壁の端面と扉部材の間の隙間にシール部材が存在する場合においては、障害部材の作用によって前記隙間内のシール部材に風が直接当たることが抑制される。そのため熱伝導によってシール部材の外側表面が低温化し、結露等が生じることを防ぐことができる。
扉部材の自由端側が接する側の開口端に加えて、ヒンジ側の辺や上下の辺に障害部材が設けられていてもよい。
【００１５】
障害部材は、試験室本体の内壁に固定されていることが望ましい。
【００１６】
試験室本体の試験室構成部分内に、棚を設置する棚受け部材があり、棚受け部材に障害部材が設けられていることが望ましい。
【００１７】
障害部材は、扉部材に設けられていてもよい。またさらに試験室本体の側壁の端面と扉部材の間の隙間の開口部分を塞ぐ遮蔽部が扉部材に設けられていてもよい。
【００１８】
送風手段の送風を側壁側に方向付けする風向部材を有することが望ましい。
【発明の効果】
【００１９】
本発明の環境試験装置は、試験室の気密性能が優れ、試験室の空気を外部に漏らし難く、熱伝導を抑えることができる。
【図面の簡単な説明】
【００２０】
【図１】本発明の実施形態の環境試験装置の斜視図であり、扉部材が閉じられた状態を示す。
【図２】図１の環境試験装置の斜視図であり、扉部材が開かれた状態を示す。
【図３】図１の環境試験装置の試験室部分の断面図であり、（ａ）は図１の矢印Ａ方向から観察した縦断面図であり、（ｂ）は図１の矢印Ｂ方向から観察した縦断面図である。
【図４】（ａ）は図１の環境試験装置の試験室部分の棚部材を省略した状態における平面断面図であり、（ｂ）は円内の拡大図であって扉部材が閉じている状態を示し、（ｃ）は円内の拡大図であって扉部材が開いている状態を示す。
【図５】（ａ）、（ｂ）、（ｃ）は、本発明の実施形態の環境試験装置の扉部材の自由端側の構造を概念的に表した平面断面図であり、障害部材の取り付け位置を説明するものである。
【図６】（ａ）、（ｂ）、（ｃ）は、本発明の実施形態の環境試験装置の扉部材の自由端側の構造を概念的に表した平面断面図であり、障害部材の形状の変形例を説明するものである。
【図７】図１の環境試験装置の試験室の内部に設けられた棚設置部材及び棚部材の斜視図である。
【図８】図１の環境試験装置の試験室の断面斜視図である。
【図９】本発明の他の実施形態の環境試験装置の試験室部分の棚部材を省略した状態における平面断面図であり、（ａ）は扉部材を閉じた状態を示し、（ｂ）は扉部材を開いた状態を示す。
【発明を実施するための形態】
【００２１】
以下さらに本発明の実施形態について説明する。
最初に本実施形態の環境試験装置１の基本構造について説明する。本実施形態の環境試験装置１は、図１に示すように上部側の試験室領域１００と、下部側の機械領域１０１に分かれている。
試験室領域１００には、図３に示すように断熱壁２によって覆われた断熱槽３が設置されている。断熱槽３は試験室本体２１と扉部材２０によって構成されている。そして当該断熱槽３の一部に試験室５が形成されている。試験室５は、被試験物を設置する空間である。試験室５は試験室本体２１の内壁（正確には内部の仕切りが試験室５の奥壁３０となっている）と扉部材２０によって６面が囲まれた空間である。
正確には、試験室５は試験室本体２１と扉部材２０によって６面が囲まれた断熱空間の一部である。
環境試験装置１は、さらに空調機器１０と送風機１１を備えている。空調機器１０は、加湿装置６、冷却装置７及び加熱ヒータ８によって構成されている。
環境試験装置１には、試験室５と環状に連通する空調通風路１５があり、当該空調通風路１５に前記した空調機器１０と送風機１１が内蔵されている。
【００２２】
空調通風路１５は、断熱槽３の一部に形成され、空気吹き出し部１６と空気導入部１８の２箇所で試験室５と連通している。
そのため送風機１１を起動すると、試験室５内の空気が空気導入部１８から空調通風路１５内に導入される。そして空調通風路１５が通風状態となり、空調機器１０に空気が接触して熱交換や湿度調整がなされ、空気吹き出し部１６から試験室５内に調整後の空気が吹き出される。
また空調通風路１５の空気吹き出し部１６の近傍に、温度センサー１２と湿度センサー１３が設けられている。
環境試験装置１を使用する際には、送風機１１を運転して空調通風路１５内を通風状態とし、温度センサー１２及び湿度センサー１３の検出値が、設定環境の温度及び湿度に近づく様に空調機器１０を制御する。
【００２３】
次に、本実施形態の環境試験装置１の細部の構成について説明する。
本実施形態の環境試験装置１では、試験室５は、前記した様に試験室本体２１と、扉部材２０によって構成された空間の一部である。
即ち試験室５は、図２、図３に示すように、試験室本体２１の奥側に設けられた奥壁３０、試験室本体２１の内面たる左右の側壁３１，３２、天面壁３３、底面壁３５と、試験室本体２１の正面の開口を塞ぐ扉部材２０で囲まれた空間である。
【００２４】
本実施形態の環境試験装置１では、側壁３１，３２を含む各壁の端面が、直接的に試験室５の開口４５となっている。
そのため本実施形態の環境試験装置１は、試験室本体２１の開口４５が大きく、被試験物の出し入れが容易である。
本実施形態では、図２の様に天面壁３３の正面側端面４０と、左側壁３１の正面側端面４１と、底面壁３５の正面側端面４２と、右側壁３２の正面側端面４３が試験室本体２１の開口枠５０として機能する。開口枠５０は、扉部材２０が当接する対扉当接枠である。
【００２５】
本実施形態の環境試験装置１は、扉部に二重のシール機構が設けられており、図２、図４、図５の様に、開口枠（対扉当接枠）５０に内側シール部材５１が設けられている。内側シール部材５１は、開口枠５０の部分にあって、試験室本体２１の開口４５を環状に取り巻いている。
【００２６】
扉部材２０は、公知のウイング式の扉である。本実施形態では、開口４５に向かって左側の辺にヒンジ４６が設けられており、左辺にヒンジ４６を介して扉部材２０が試験室本体２１側に揺動可能に取り付けられている。扉部材２０は、試験室本体２１の左側の縦の一辺とヒンジ４６で結合されていてヒンジ４６側を基端とし他端側を自由端として揺動する。
扉部材２０の自由端側には、公知のロック機構４７が設けられている。また扉部材２０には、窓部４８と把手５６が設けられている。
【００２７】
扉部材２０の試験室本体２１側の面の辺部は、対本体当接枠５２として機能する。
前記した様に、本実施形態の環境試験装置１は、扉部に二重のシール機構が設けられており、図２、図４、図５の様に、対本体当接枠５２に外側シール部材５３が設けられている。外側シール部材５３は、対本体当接枠５２の部分にあって、扉部材２０の試験室本体２１側を環状に取り巻いている。
【００２８】
扉部材２０が閉じられると、扉部材２０の対本体当接枠５２に設けられた外側シール部材５３の先端が、試験室本体２１の開口枠（対扉当接枠）５０と接する。
また扉部材２０が閉じられると、試験室本体２１の開口枠５０に設けられた内側シール部材５１の先端が、扉部材２０の対本体当接枠５２と接する。
【００２９】
試験室５の内部に目を移すと、図４に示すように試験室本体２１の開口４５近傍の位置であって、開口４５の一方の縦辺に沿った位置に、障害部材６０が設けられている。
ヒンジ４６との関係で説明すると、扉部材２０の自由端側が接する側の開口端の近傍に、障害部材６０が設けられている。
図面に則して説明すると、障害部材６０は、試験室５の右側壁３２であって、開口４５の真近の位置にあり、開口４５の縦辺に沿って上下方向にのびている。
【００３０】
本実施形態では、障害部材６０は、後記する様に棚受け部材の一部であるが、理解を容易にするため、図４、図５、図６では、棚受け部材として機能する部分を省略している。  障害部材６０は、断面形状が略「Ｌ」字状の部分を有する金具の一部である。図５（ａ）の様に設置片６８から立ち上がった部分である。
【００３１】
障害部材６０は、右側壁３２に対して交差する方向に立設し、背が低く、上下に長く連続する壁である。障害部材６０の右側壁３２からの立ち上がり高さＨ（突出長さ）は低い。
障害部材６０の高さＨは、５ｍｍから３０ｍｍ程度であり、好ましくは、５ｍｍから１０ｍｍ程度であり、最も好ましくは、６乃至８ｍｍである。
障害部材６０は、図５の各図の様に右側壁３２に対して垂直姿勢に立ち上がっていることが望ましいが、図６（ａ）、（ｂ）の様に多少傾斜姿勢であってもよい。障害部材６０の姿勢は、右側壁３２に対して４５度から１３５度程度の傾斜があってもよい。
図６（ａ）は、障害部材６０を扉部材２０側に傾斜させた例を示し、図６（ｂ）は、障害部材６０を奥側に傾斜させた例を示す。
図６（ｃ）は、障害部材６０の断面形状が異なる例を示し、奥側の面が曲面である。
【００３２】
障害部材６０の上下方向の長さは、開口４５の高さの全域に及ぶものであることが望ましく、天面壁３３から底面壁３５まで至っていることが望ましいが、それよりも短くてもよい。
障害部材６０の上下方向の長さは、開口４５の高さの５０パーセント以上に及ぶことが望ましく、８０パーセント以上であることがさらに望ましい。
障害部材６０は上下方向に連続していることが望ましいが、いく片かに分断されていてもよい。
【００３３】
障害部材６０の試験室５の奥行き方向の位置は、前記した様に開口４５の真近の位置であり、図５（ａ）の様に、右側壁３２の正面側端面４３の角５７の位置と、障害部材６０の基部の位置が一致する。
障害部材６０の試験室５の奥行き方向の位置は、開口４５により近い位置であるほど望ましいが、図５（ｂ）の様に多少、開口４５から後退していてもよい。また図５（ｃ）の様に多少、開口４５から突出していてもよい。
【００３４】
障害部材６０は、送風が当たる面の中心部分が、開口４５の端部（角５７）から奥側に５ｃｍ以内の位置であることが望ましく、より好ましくは、開口４５の端部（角５７）から奥側に３ｃｍ以内の位置であり、さらに好ましくは、開口４５の端部（角５７）から奥側に１ｃｍ以内の位置であることが望ましい。
障害部材６０が開口４５から突出する構造の場合には、扉部材２０を閉じた際に、扉部材２０が当たらなければよい。
【００３５】
本実施形態では、試験室５内に棚５５を設けられる様になっており、障害部材６０は、棚５５を支持する棚受け部材６１の一つに設けられている。
本実施形態では、図４、図７の様に、試験室本体２１の左右の側壁３１，３２に、それぞれ２個ずつ棚受け部材６１が設けられている。
棚受け部材６１は、断面形状が凹型であって柱状の部材である。棚受け部材６１には、棚５５の端部を係合させる係合孔６２が縦方向に複数並べて設けられている。
棚受け部材６１は、左側壁３１に２本、右側壁３２に２本設けられている。
即ち棚受け部材６１は、開口４５側と奥側に設けられ、平面視して長方形の各角に相当する様に配置されている。
そして本実施形態では、右側壁３２の開口４５側に設置された棚受け部材６１ａに、障害部材６０が一体的に設けられている。
【００３６】
棚受け部材６１ａは、一枚の板を曲げ加工して成形されたものであり、受け孔形成部６７とこれに続く設置片６８及び障害部材６０が連続するものである。
棚受け部材６１ａの具体的な形状は、図７の通りであり、内側脚部６３と突出面部６５と外側脚部６６によって構成された受け孔形成部６７があり、外側脚部６６の端部に平面状の設置片６８が繋がり、設置片６８の端部が略垂直に折り曲げられて障害部材６０が形成されている。
そして障害部材６０は、棚受け部材６１ａが所定の位置に固定されると、試験室本体２１の開口４５近傍の位置にあって、右側壁３２から立ち上がった姿勢となる。
【００３７】
次に試験室５の奥側に目を移すと、図３に示すように試験室５の奥壁３０の一部が開口していて、前記した空調通風路１５の空気吹き出し部１６があり、その中に送風機１１が設置されている。
本実施形態では、送風機１１は軸流送風機であり、プロペラファンである。
公知の様に、軸流送風機は、シロッコファン等の遠心送風機に比べて送風量が多い。
また本実施形態では、図４に示すように送風機１１の前面側に風向部材７１が設けられている。風向部材７１の断面形状は台形であり、正面側送風面７２と側面側送風面７３ａ，７３ｂを有している。本実施形態では、風向部材７１が実質的に空調通風路１５の空気吹き出し部１６となっている。
【００３８】
風向部材７１の正面側送風面７２は、扉部材２０と略平行に対峙する面であり、当該面に複数の開口が設けられたものである。正面側送風面７２からは扉部材２０に向かって送風される。
これに対して側面側送風面７３ａ，７３ｂは、送風機１１と扉部材２０を結ぶ仮想直線に対して傾斜姿勢となっている。側面側送風面７３ａ，７３ｂについても複数の開口が設けられている。側面側送風面７３ａ，７３ｂから噴射される送風は、斜め方向から側壁３１，３２に当たる。
【００３９】
軸流送風機は、プロペラファンの外周近傍によって起こされる風が強く、回転中心の近傍は風速が弱い。
しかしながら本実施形態の環境試験装置１では、送風機１１の前面側に風向部材７１が設けられており、風向部材７１の側面側送風面７３ａ，７３ｂから噴射される空気は、側壁３１，３２側に向かう方向のベクトル成分をもっている。そのため側面側送風面７３ａ，７３ｂから噴射される空気は、側壁３１，３２側と衝突して反射し、中央側に戻る。そのため送風機１１の回転中心の前方側にも送風が行き渡る。
【００４０】
しかしその一方で、側壁３１，３２に衝突した風の一部は、図５、図８の様に側壁３２に沿って流れ、試験室本体２１の正面の開口４５に至る。即ち、扉部材２０の自由端側となる右側壁３２に沿って流れ、正面の開口４５に至る。
ここで本実施形態の環境試験装置１では、右側壁３２であって開口４５の近傍に障害部材６０が設けられている。障害部材６０は、右側壁３２からわずかに立ち上がったものであるが、送風は右側壁３２に沿って流れてくるので、障害部材６０と衝突し、大きく向きを変える。即ち右側壁３２に沿って流れて来た送風は、図５、図８の様に障害部材６０と衝突し、開口４５の右側の縦辺から遠ざかる方向に流れてゆく。即ち障害部材６０は、風向部材として機能し、右側壁３２に沿って流れてきた送風を扉部材２０の中央向きに誘導する。
そのため扉部材２０の自由端側の開口枠５０及び対本体当接枠５２の接合面であって、扉部材２０の自由端側の縦辺には、送風は流れにくい。
そのため、当該部位に送風の動圧が掛かりにくく、内部の空気が漏れにくい。
【００４１】
またシール部材５１，５３に直接的に風が当たることを防ぐことができる。そのためシール部材５１，５３の外側表面が過度に低温となることが防止され、シール部材５１，５３が結露することを防止することができる。
【００４２】
以上説明した実施形態では、試験室本体２１側に障害部材６０を設けたが、図９の様に、扉部材２０側に障害部材８０を設けてもよい。
図９に示す環境試験装置７５の障害部材８０は、断面形状が略「Ｌ」形の金具８２の一部である。金具８２は、試験室本体２１の側壁３２と略平行な側壁側部（遮蔽部）８３と、側壁３２に対して交差する方向にのびる障害部材８０を有している。
扉部材２０を閉じると、図９（ａ）の様に、障害部材８０が開口４５から試験室５内に入り込み、障害部材８０が側壁３２の内側に対して交差する方向となる。
側壁側部８３は、扉部材２０の対本体当接枠５２と試験室本体２１の開口枠５０との間の隙間の開口部分を封鎖する位置となり、シール部材５１，５３に直接的に風が当たることを防ぐ遮蔽部として機能する。
【００４３】
以上説明した実施形態では、開口４５の縦辺の一つに沿って障害部材６０を設けたが、これに加えて、他の辺に沿う位置に障害部材６０を設けてもよい。
また以上説明した実施形態では、障害部材６０は上下に真っ直ぐ延びていて開口４５の縦辺と平行であるが、障害部材６０は少しの傾斜角度を持って上下にのびていてもよい。即ち障害部材６０の上端の真下の位置に障害部材６０の下端がなくてもよい。
また上記した実施形態では、棚受け部材６１ａに障害部材６０を設け、棚受け部材６１ａを設置することによって、障害部材６０が設けられる構成を例示したが、棚受け部材６１ａと障害部材６０は別々のものであってもよい。さらに棚受け部材６１は必須ではない。
本実施形態では、送風機１１として軸流送風機を採用したが、遠心送風機であってもよい。また風向部材７１は必須ではない。
【符号の説明】
【００４４】
１，７５  環境試験装置
５  試験室
１０  空調機器
１１  送風機
２０  扉部材
２１  試験室本体
３０  奥壁
３１，３２  側壁
３３  天面壁
３５  底面壁
４５  開口
４６  ヒンジ
５０  開口枠
５１  内側シール部材
５２  対本体当接枠
５３  外側シール部材
５５  棚
６０，８０  障害部材
６１  棚受け部材
７１  風向部材
８３  側壁側部（遮蔽部）
【図１】
2018151296.tif 000003
【図２】
2018151296.tif 000004
【図３】
2018151296.tif 000005
【図４】
2018151296.tif 000006
【図５】
2018151296.tif 000007
【図６】
2018151296.tif 000008
【図７】
2018151296.tif 000009
【図８】
2018151296.tif 000010
【図９】
2018151296.tif 000011